(57)【要約】【課題】外部温度の変化に影響されず、ロータの回転速度に応じた液体の吐出量を常に一定に維持することができるしごき型ポンプを提供する。【解決手段】流体を流動させ得る可撓性チューブの被しごき部（Ｃ１、Ｃ２）が取り付けられる取付部３を具備したステータ２と、取付部３内で回転可能とされたロータ（４ａ、４ｂ）と、ロータ（４ａ、４ｂ）を回転駆動するためのモータＭと、取付部３に取り付けられた被しごき部（Ｃ１、Ｃ２）を径方向に圧縮しつつ当該ロータ（４ａ、４ｂ）の回転に伴い長手方向にしごくことにより、可撓性チューブ内で流体を流動させるためのローラ（５ａ、５ｂ）とを具備したしごき型ポンプ１において、被しごき部（Ｃ１、Ｃ２）を一定温度に保持するための温度保持手段８を具備したものである。【選択図】図１
2017089516.tif 000002
【特許請求の範囲】
【請求項１】
流体を流動させ得る可撓性チューブの被しごき部が取り付けられる取付部を具備したステータと、
前記取付部内で回転可能とされたロータと、
該ロータを回転駆動するための駆動源と、
前記ロータに形成され、当該取付部に取り付けられた被しごき部を径方向に圧縮しつつ当該ロータの回転に伴い長手方向にしごくことにより、前記可撓性チューブ内で流体を流動させるためのローラと、
を具備したしごき型ポンプにおいて、
前記被しごき部を一定温度に保持するための温度保持手段を具備したことを特徴とするしごき型ポンプ。
【請求項２】
前記温度保持手段は、
前記ステータを加温又は冷却し得る加温手段又は冷却手段と、
前記ステータの温度を検知し得る温度検知手段と、
を具備し、前記温度検知手段で検知された温度に基づいて前記加温手段又は冷却手段による加温又は冷却を行わせることにより、前記被しごき部を一定温度に保持し得ることを特徴とする請求項１記載のしごき型ポンプ。
【請求項３】
前記温度保持手段は、
前記ロータを加温又は冷却し得る加温手段又は冷却手段と、
前記ロータの温度を検知し得る温度検知手段と、
を具備し、前記温度検知手段で検知された温度に基づいて前記加温手段又は冷却手段による加温又は冷却を行わせることにより、前記被しごき部を一定温度に保持し得ることを特徴とする請求項１記載のしごき型ポンプ。
【請求項４】
前記ステータの取付部には、複数の被しごき部が取り付けられるとともに、前記ロータは、当該取付部に取り付けられる被しごき部に対応して複数配設されたことを特徴とする請求項１〜３の何れか１つに記載のしごき型ポンプ。
【請求項５】
前記複数のロータは、所定の希釈液を流動させる可撓性チューブの被しごき部及び患者の血液を流動させる可撓性チューブの被しごき部をそれぞれしごいて流動させ得るとともに、その血液と所定の希釈液とを所定比率にて混合して希釈する希釈装置に適用されたことを特徴とする請求項１〜４の何れか１つに記載のしごき型ポンプ。
【請求項６】
前記希釈装置は、希釈された血液の血糖値を検出し得る血糖値検出装置に接続されたことを特徴とする請求項５記載のしごき型ポンプ。
【発明の詳細な説明】
【技術分野】
【０００１】
本発明は、可撓性チューブの被しごき部を径方向に圧縮しつつ当該ロータの回転に伴い長手方向にしごくことにより、当該可撓性チューブ内で流体を流動させ得るしごき型ポンプに関するものである。
【背景技術】
【０００２】
患者の体内から血液を採取しつつ所定の希釈液でその血液を希釈し、グルコースセンサ等の血糖値検出装置にて血糖値をリアルタイムで検出するとともに、検出された血糖値が過度に高い場合は、インスリンを患者に注入して血糖値を下げ、検出された血糖値が過度に低い場合は、ブドウ糖（グルコース）を患者に注入して血糖値を上げることが可能な人工膵臓装置が提案されている。
【０００３】
かかる人工膵臓装置は、例えば特許文献１にて開示されているように、血糖値検出装置に供給する血液を希釈するための希釈装置（サンプリング装置）を有している。従来の希釈装置は、所定の希釈液を流動させる可撓性チューブ及び患者の血液を希釈液にて希釈しつつ流動させる可撓性チューブをしごくためのローラを有したしごき型ポンプを具備するものであった。この従来の希釈装置に配設されたしごき型ポンプにおいては、所定の希釈液を流動させる可撓性チューブをしごくためのローラと、希釈液で希釈された患者の血液を流動させる可撓性チューブをしごくためのローラとが一つのロータに形成されており、一方のローラが他方のローラより離間寸法（ピッチ）が大きく設定されている。
【０００４】
また、所定の希釈液を流動させる可撓性チューブ及び希釈された血液を流動させる可撓性チューブは、略同一径（同一の内径）とされており、ロータを回転駆動させることにより、ローラの離間寸法（ピッチ）に応じて希釈液の流量と血液の流量とを任意に設定することができるよう構成されていた。これにより、希釈液と血液とを所定の比率にて混合させることができ、所望の比率にて希釈された血液を血糖値検出装置に供給させて血糖値を精度よく検出させることができる。
【先行技術文献】
【特許文献】
【０００５】
【特許文献１】特開２０１３−２４５６６４号公報
【発明の概要】
【発明が解決しようとする課題】
【０００６】
しかしながら、上記従来技術に係るしごき型ポンプは、可撓性チューブの被しごき部をローラにてしごく際、その被しごき部の復元力（弾力）が外部温度によって変化してしまうことから、吐出量（流量）特性が変化してしまうという不具合があった。よって、外部温度の変化に影響されて吐出量特性が種々変化してしまうことから、可撓性チューブで流通させる液体の流量を精度よく制御することができないという問題があった。
【０００７】
本発明は、このような事情に鑑みてなされたもので、外部温度の変化に影響されず、ロータの回転速度に応じた液体の吐出量を常に一定に維持することができるしごき型ポンプを提供することにある。
【課題を解決するための手段】
【０００８】
請求項１記載の発明は、流体を流動させ得る可撓性チューブの被しごき部が取り付けられる取付部を具備したステータと、前記取付部内で回転可能とされたロータと、該ロータを回転駆動するための駆動源と、前記ロータに形成され、当該取付部に取り付けられた被しごき部を径方向に圧縮しつつ当該ロータの回転に伴い長手方向にしごくことにより、前記可撓性チューブ内で流体を流動させるためのローラとを具備したしごき型ポンプにおいて、前記被しごき部を一定温度に保持するための温度保持手段を具備したことを特徴とする。
【０００９】
請求項２記載の発明は、請求項１記載のしごき型ポンプにおいて、前記温度保持手段は、前記ステータを加温又は冷却し得る加温手段又は冷却手段と、前記ステータの温度を検知し得る温度検知手段とを具備し、前記温度検知手段で検知された温度に基づいて前記加温手段又は冷却手段による加温又は冷却を行わせることにより、前記被しごき部を一定温度に保持し得ることを特徴とする。
【００１０】
請求項３記載の発明は、請求項１記載のしごき型ポンプにおいて、前記温度保持手段は、前記ロータを加温又は冷却し得る加温手段又は冷却手段と、前記ロータの温度を検知し得る温度検知手段とを具備し、前記温度検知手段で検知された温度に基づいて前記加温手段又は冷却手段による加温又は冷却を行わせることにより、前記被しごき部を一定温度に保持し得ることを特徴とする。
【００１１】
請求項４記載の発明は、請求項１〜３の何れか１つに記載のしごき型ポンプにおいて、前記ステータの取付部には、複数の被しごき部が取り付けられるとともに、前記ロータは、当該取付部に取り付けられる被しごき部に対応して複数配設されたことを特徴とする。
【００１２】
請求項５記載の発明は、請求項１〜４の何れか１つに記載のしごき型ポンプにおいて、前記複数のロータは、所定の希釈液を流動させる可撓性チューブの被しごき部及び患者の血液を流動させる可撓性チューブの被しごき部をそれぞれしごいて流動させ得るとともに、その血液と所定の希釈液とを所定比率にて混合して希釈する希釈装置に適用されたことを特徴とする。
【００１３】
請求項６記載の発明は、請求項５記載のしごき型ポンプにおいて、前記希釈装置は、希釈された血液の血糖値を検出し得る血糖値検出装置に接続されたことを特徴とする。
【発明の効果】
【００１４】
請求項１の発明によれば、被しごき部を一定温度に保持するための温度保持手段を具備したので、外部温度が変化しても被しごき部の吐出量特性が変化してしまうのを防止することができ、外部温度の変化に影響されず、ロータの回転速度に応じた液体の吐出量を常に一定に維持することができる。
【００１５】
請求項２の発明によれば、温度保持手段は、ステータを加温又は冷却し得る加温手段又は冷却手段と、ステータの温度を検知し得る温度検知手段とを具備し、温度検知手段で検知された温度に基づいて加温手段又は冷却手段による加温又は冷却を行わせることにより、被しごき部を一定温度に保持し得るので、ステータを介してより精度よく被しごき部を一定温度に保持することができる。
【００１６】
請求項３の発明によれば、温度保持手段は、ロータを加温又は冷却し得る加温手段又は冷却手段と、ロータの温度を検知し得る温度検知手段とを具備し、温度検知手段で検知された温度に基づいて加温手段又は冷却手段による加温又は冷却を行わせることにより、被しごき部を一定温度に保持し得るので、ロータを介してより精度よく被しごき部を一定温度に保持することができる。
【００１７】
請求項４の発明によれば、ステータの取付部には、複数の被しごき部が取り付けられるとともに、ロータは、当該取付部に取り付けられる被しごき部に対応して複数配設されたので、複数の被しごき部を同時に加温又は冷却することができ、複数の被しごき部を一括して一定温度に保持することができる。
【００１８】
請求項５の発明によれば、複数のロータは、所定の希釈液を流動させる可撓性チューブの被しごき部及び患者の血液を流動させる可撓性チューブの被しごき部をそれぞれしごいて流動させ得るとともに、その血液と所定の希釈液とを所定比率にて混合して希釈する希釈装置に適用されたので、希釈装置による希釈液と血液との混合比率を任意且つ精度よく設定することができる。
【００１９】
請求項６の発明によれば、希釈装置は、希釈された血液の血糖値を検出し得る血糖値検出装置に接続されたので、血糖値検出装置にて血糖値を検出するのに適した希釈比率の血液を精度よく作製及び供給することができる。
【図面の簡単な説明】
【００２０】
【図１】本発明の実施形態に係るしごき型ポンプが適用される希釈装置及び血糖値検出装置を示す
【図２】同しごき型ポンプを示す表面図及び裏面図
【図３】同しごき型ポンプを示す側面図
【図４】同しごき型ポンプを示す斜視図
【図５】図２におけるＶ−Ｖ線断面図
【図６】図３におけるＶＩ−ＶＩ線断面図
【図７】（ａ）同しごき型ポンプにおける第１ロータで破断した断面図、（ｂ）第２ロータで破断した断面図
【図８】本発明の他の実施形態（ステータ側に温度保持手段のファン部材が配設された形態）に係るしごき型ポンプを示す断面図
【図９】本発明の他の実施形態（ステータ側に温度保持手段のペルチェ素子が配設された形態）に係るしごき型ポンプを示す断面図
【図１０】本発明の他の実施形態（ロータ側に温度保持手段が配設された形態）に係るしごき型ポンプを示す断面図
【図１１】本発明の他の実施形態（ロータ側に温度保持手段のファン部材が配設された形態）に係るしごき型ポンプを示す断面図
【図１２】本発明の他の実施形態（チェーン駆動によるロータを具備した形態）に係るしごき型ポンプを示す斜視図
【図１３】同しごき型ポンプを示す側面図及び正面図
【図１４】図１３におけるＸＩＶ−ＸＩＶ線断面図
【発明を実施するための形態】
【００２１】
以下、本発明の実施形態について図面を参照しながら具体的に説明する。
本実施形態に係るしごき型ポンプは、図１に示すように、所定の希釈液（例えばヘパリン化生理食塩液等の抗凝固剤）を流動させる可撓性チューブ（流路Ｌ１）の被しごき部Ｃ１及び患者の血液を流動させる可撓性チューブ（流路Ｌ２）の被しごき部Ｃ２をそれぞれしごいて流動させ得るとともに、その血液と所定の希釈液とを所定比率にて混合して希釈する希釈装置Ａに適用されたものであり、当該希釈装置Ａは、希釈された血液の血糖値を検出し得る血糖値検出装置Ｓに接続されている。
【００２２】
本実施形態に係る希釈装置Ａは、一端に希釈液を収容した収容バッグＢ１が接続されるとともに、他端に穿刺針Ｈが接続された流路Ｌ１を有しており、当該流路Ｌ１の途中に被しごき部Ｃ１が接続されている。また、本実施形態に係る希釈装置Ａは、一端に穿刺針Ｈが接続されるとともに、他端にチャンバ等の混合部Ｎが接続された流路Ｌ２を有している。なお、流路Ｌ１及び流路Ｌ２は、液体を流通させ得る可撓性チューブから成り、途中に液切れ検知器ｆが取り付けられて、液切れが検出可能とされている。
【００２３】
穿刺針Ｈは、流路Ｌ１の他端及び流路Ｌ２の一端にそれぞれ接続されており、患者に穿刺可能とされたもので、収容バッグＢ１内の希釈液を内部に導きつつ患者の血液を採取し、その血液を希釈液と混合した状態にて混合部Ｎに供給可能なものである。混合部Ｎは、血糖値検出装置Ｓと接続されており、混合部Ｎにて略均一に混合された希釈液が流路Ｌ３を介して血糖値検出装置Ｓに供給されるようになっている。
【００２４】
一方、血糖値検出装置Ｓは、例えば希釈装置Ａから供給された希釈液を酵素の膜上に連続的に導いてブドウ糖を分解し、その分解時に生じた電流値から血糖値を検出可能なグルコースセンサＳａを有して構成されたもので、流路Ｌ４を介して排液バッグＢ２に接続されている。しかして、患者から採取した血液は、希釈液にて所定の比率にて希釈された後、血糖値検出装置ＳのグルコースセンサＳａにて血糖値が検出され、排液バッグＢ２に排出されるようになっている。
【００２５】
本実施形態に係るしごき型ポンプ１は、流路Ｌ１を構成する可撓性チューブの被しごき部Ｃ１及び流路Ｌ２を構成する可撓性チューブの被しごき部Ｃ２がそれぞれ取り付けられ、希釈液及び血液を所定の比率で同時に流動させ得るもので、図２〜７に示すように、取付部３が取り付けられたステータ２と、第１ロータ４ａ及び第２ロータ４ｂと、駆動源としてのモータＭと、第１ロータ４ａに取り付けられたローラ５ａ及び第２ロータ４ｂに取り付けられたローラ５ｂとを有して構成されている。
【００２６】
ステータ２は、その取付部３に対して、互いに略同一径とされて流体を流動させ得る複数の可撓性チューブの被しごき部（Ｃ１、Ｃ２）が取り付けられるもので、第１ロータ４ａ及び第２ロータ４ｂが回転自在に取り付けられるとともに、モータＭが固定されている。取付部３は、第１ロータ４ａ及び第２ロータ４ｂと対峙する面に凹状の弧状面３ａ（図７参照）が形成されており、その弧状面３ａとローラ（５ａ、５ｂ）との間で可撓性チューブの被しごき部（Ｃ１、Ｃ２）をしごくことが可能とされている。すなわち、取付部３の弧状面３ａは、ローラ（５ａ、５ｂ）のしごき力を受ける被しごき面を形成しているのである。なお、図中符号６は、第１ロータ４ａ及び第２ロータ４ｂの駆動軸Ｌに対する抜け止めリングを示しているとともに、符号７は、しごき型ポンプ１を希釈装置Ａに取り付けるための取付け金具を示している。
【００２７】
第１ロータ４ａ及び第２ロータ４ｂは、図４、５に示すように、モータＭ（駆動源）にて回転可能な共通の駆動軸Ｌと連結可能な一対の円板状部材ａを有し、当該一対の円板状部材ａにてローラ（５ａ、５ｂ）の両端が連結されて成るものである。具体的には、第１ロータ４ａは、図７（ａ）に示すように、一対の円板状部材ａの間において周方向等間隔に複数のローラ５ａを介装させて成り、当該ローラ５ａの回転による被しごき部Ｃ１の流体の流量が所定値に設定されたものであり、第２ロータ４ｂは、同図（ｂ）に示すように、一対の円板状部材ａの間において周方向等間隔にローラ５ｂを介装させて成り、当該ローラ５ｂの回転による被しごき部Ｃ２の流体の流量が所定値より大きく設定されたものである。
【００２８】
また、第１ロータ４ａ及び第２ロータ４ｂは、円板状部材ａが同一径とされ、共通の駆動軸Ｌの延設方向に対して並べて（隣接して）取り付けられているとともに、平行キーＫによって駆動軸Ｌとそれぞれ連結されている。しかして、モータＭが駆動して駆動軸Ｌが回転すると、第１ロータ４ａ及び第２ロータ４ｂが同時に回転するとともに、第１ロータ４ａのローラ５ａが被しごき部Ｃ１をしごき、第２ロータ４ｂのローラ５ｂが被しごき部Ｃ２をしごくようになっている。
【００２９】
駆動源としてのモータＭは、通電によって回転する出力軸Ｍａを具備するとともに、当該出力軸Ｍａは、ベルトＶを介して駆動軸Ｌと連結されている。これにより、モータＭに電力を供給して通電させると、ベルトＶを介して駆動軸Ｌを回転させ、第１ロータ４ａ及び第２ロータ４ｂを回転駆動可能とされている。なお、モータＭに代えて他の汎用的な駆動源としてもよく、ベルトＶに代えて他の汎用的な動力伝達手段としてもよい。
【００３０】
ローラ（５ａ、５ｂ）は、第１ロータ４ａ及び第２ロータ４ｂにそれぞれ形成された略同一外径の円筒状部材から成り、取付部３に取り付けられた複数の被しごき部（Ｃ１、Ｃ２）をそれぞれ径方向に圧縮しつつ当該第１ロータ４ａ及び第２ロータ４ｂの回転に伴い長手方向にしごくことにより、当該被しごき部（Ｃ１、Ｃ２）内で流体を流動させるためのものである。本実施形態に係るローラ５ａは、図７（ａ）に示すように、第１ロータ４ａが具備する一対の円板状部材ａの縁部において周方向に亘って９つ形成されるとともに、ローラ５ｂは、同図（ｂ）に示すように、第２ロータ４ｂが具備する一対の円板状部材ａの縁部において周方向に亘って７つ形成されている。
【００３１】
特に、本実施形態に係る第１ロータ４ａ及び第２ロータ４ｂは、取付部３に取り付けられる被しごき部（Ｃ１、Ｃ２）に対応して複数配設され、共通の駆動源Ｌで回転駆動されるとともに、それぞれの第１ロータ４ａ及び第２ロータ４ｂにおけるローラ（５ａ、５ｂ）の離間寸法（隣合うローラの離間寸法）は、液体の流量に応じて設定されている。しかして、本実施形態においては、第１ロータ４ａには９つのローラ５ａが形成されるとともに、第２ロータ４ｂにはローラ５ａと略同一径のローラ５ｂが７つ形成されているので、第１ロータ４ａの回転による液体の流量よりも第２ロータ４ｂの回転による流量の方が大きくなるよう設定されている。
【００３２】
すなわち、同一円の周上に略等間隔に配設されたローラ（５ａ、５ｂ）の個数が多くなれば、その隣合うローラ（５ａ、５ｂ）の離間寸法は小さくなり、被しごき部（Ｃ１、Ｃ２）に対する締切面積（径方向に圧縮されることによる締切面積）が大きくなるので、モータＭにより第１ロータ４ａ及び第２ロータ４ｂが回転駆動すると、７つのローラ５ｂが回転することによる第２ロータ４ｂによる液体の流量は、９つのローラ５ａが回転することによる第１ロータ４ａによる液体の流量より大きくなるのである。
【００３３】
ここで、本実施形態に係るしごき型ポンプ１においては、ステータ２の取付部３に取り付けられたユニットから成り、被しごき部（Ｃ１、Ｃ２）を一定温度に保持するための温度保持手段８を具備している。かかる温度保持手段８は、ステータ２（具体的には、ステータ２の取付部３）を加温し得るヒータ９（加温手段）と、ステータ２（ステータ２の取付部３）の温度を検知し得る温度センサ１０（温度検知手段）とを有するとともに、温度センサ１０で検知された温度に基づいてヒータ９による加温を行わせることにより、被しごき部（Ｃ１、Ｃ２）を一定温度に保持し得るよう構成されている。
【００３４】
すなわち、ヒータ９及び温度センサ１０を有する温度保持手段８は、図１に示すように、制御手段１１と電気的に接続されており、当該制御手段１１によって、温度センサ１０で検知された温度に基づいてヒータ９による加温を行わせる所謂フィードバック制御が行われるようになっている。しかして、温度保持手段８のユニットは、図６、７に示すように、ヒータ９及び温度センサ１０が取り付けられるとともに、ステータ２の取付部３の上部に接触して取り付けられるので、ステータ２の取付部３を介して被しごき部（Ｃ１、Ｃ２）を一括して加温し、一定温度（予め設定された所定温度）に保持することができる。
【００３５】
上記実施形態に係る温度保持手段８は、ヒータ９及び温度センサ１０を具備したユニットをステータ２の取付部３に接触して取り付けられているが、図８に示すように、取付部３を含むステータ２を保護カバー１３で覆うとともに、その保護カバー１３内に外気を吸引して取付部３を冷却し得るファン部材１２（冷却手段）、及び取付部３の温度を検知し得る温度センサ１０（温度検知手段）を具備したものとしてもよい。この場合、温度センサ１０で検知された温度に基づいてファン部材１２による冷却を行わせることにより、被しごき部（Ｃ１、Ｃ２）を一定温度に保持し得るよう構成されている。
【００３６】
また、他の形態に係る温度保持手段８として、図９に示すように、取付部３を加温又は冷却し得るペルチェ素子１４（加温手段又は冷却手段）、及び取付部３の温度を検知し得る温度センサ１０（温度検知手段）を具備したものとしてもよい。ペルチェ素子１４は、通電によって、一方の面が高温となりつつ他方の面が低温となる素子から成り、一方の面を取付部３側に向けて取り付ければ、取付部３を加温する加温手段として機能するとともに、他方の面を取付部３側に向けて取り付ければ、取付部３を冷却する冷却手段として機能することができる。この場合、温度センサ１０で検知された温度に基づいてペルチェ素子１４による加温又は冷却を行わせることにより、被しごき部（Ｃ１、Ｃ２）を一定温度に保持し得るよう構成されている。
【００３７】
上記の図７〜９で示した実施形態によれば、温度保持手段８は、ステータ２を加温又は冷却し得る加温手段（ヒータ９、ペルチェ素子１４）又は冷却手段（ファン部材１２、ペルチェ素子１４）と、ステータ２の温度を検知し得る温度検知手段（温度センサ１０）とを具備し、温度検知手段で検知された温度に基づいて加温手段又は冷却手段による加温又は冷却を行わせることにより、被しごき部（Ｃ１、Ｃ２）を一定温度に保持し得るので、ステータ２の取付部３を介してより精度よく被しごき部（Ｃ１、Ｃ２）を一定温度に保持することができる。
【００３８】
さらに他の形態に係る温度保持手段１５として、図１０に示すように、ロータ（４ａ、４ｂ）におけるローラ（５ａ、５ｂ）を加温し得るヒータ１６（加温手段）、及びロータ（４ａ、４ｂ）におけるローラ（５ａ、５ｂ）の温度を検知し得る温度センサ１７（温度検知手段）を具備したユニットをロータ（４ａ、４ｂ）の周面に沿って配設したものとしてもよい。この場合、温度センサ１７で検知された温度に基づいてヒータ１６による加温を行わせることにより、被しごき部（Ｃ１、Ｃ２）を一定温度に保持し得るよう構成されている。
【００３９】
また、他の形態に係る温度保持手段１５として、図１１に示すように、ロータ（４ａ、４ｂ）を保護カバー１９で覆うとともに、その保護カバー１９内に図示しない熱源にて加温された温風を吹き付けてロータ（４ａ、４ｂ）を加温し得るファン部材１８（加温手段）、保護カバー１９内の温度を検知し得る不図示の温度センサ（温度検知手段）を具備したものとしてもよい。この場合、温度センサで検知された温度に基づいてファン部材１８による加温を行わせることにより、被しごき部（Ｃ１、Ｃ２）を一定温度に保持し得るよう構成されている。なお、ファン部材１８は、外気を吸引してロータ（４ａ、４ｂ）に吹き付けて冷却し得る冷却手段として機能させてもよい。
【００４０】
上記の図１０、１１で示した実施形態によれば、温度保持手段１５は、ロータ（４ａ、４ｂ）を加温又は冷却し得る加温手段（ヒータ１６、温風を吹き付けるファン部材１８）又は冷却手段（外気を吹き付けるファン部材１８）と、ロータ（４ａ、４ｂ）の温度を検知し得る温度検知手段（温度センサ１７）とを具備し、温度検知手段で検知された温度に基づいて加温手段又は冷却手段による加温又は冷却を行わせることにより、被しごき部（Ｃ１、Ｃ２）を一定温度に保持し得るので、ロータ（４ａ、４ｂ）（具体的には、ロータ（４ａ、４ｂ）のローラ（５ａ、５ｂ））を介してより精度よく被しごき部（Ｃ１、Ｃ２）を一定温度に保持することができる。
【００４１】
上記した一連の実施形態によれば、被しごき部（Ｃ１、Ｃ２）を一定温度に保持するための温度保持手段（８、１５）を具備したので、外部温度が変化しても被しごき部（Ｃ１、Ｃ２）の吐出量特性が変化してしまうのを防止することができ、外部温度の変化に影響されず、ロータ（４ａ、４ｂ）の回転速度に応じた液体の吐出量を常に一定に維持することができる。特に、ステータ２の取付部３には、複数の被しごき部（Ｃ１、Ｃ２）が取り付けられるとともに、ロータ（４ａ、４ｂ）は、当該取付部３に取り付けられる被しごき部（Ｃ１、Ｃ２）に対応して複数配設されたので、複数の被しごき部（Ｃ１、Ｃ２）を同時に加温又は冷却することができ、複数の被しごき部（Ｃ１、Ｃ２）を一括して一定温度に保持することができる。
【００４２】
また、本実施形態に係るしごき型ポンプ１の複数のロータ（４ａ、４ｂ）は、所定の希釈液を流動させる可撓性チューブの被しごき部Ｃ１及び患者の血液を流動させる可撓性チューブの被しごき部Ｃ２をそれぞれしごいて流動させ得るとともに、その血液と所定の希釈液とを所定比率にて混合して希釈する希釈装置Ａに適用されたので、希釈装置Ａによる希釈液と血液との混合比率を任意且つ精度よく設定することができる。
【００４３】
特に、本実施形態に適用される希釈装置Ａは、希釈された血液の血糖値を検出し得る血糖値検出装置Ｓに接続されたので、血糖値検出装置Ｓにて血糖値を検出するのに適した希釈比率の血液を精度よく作製及び供給することができる。しかるに、本実施形態においては、血糖値検出装置Ｓにてリアルタイムで患者の血糖値を検出することができるので、その検出された血糖値に基づき、血糖値が過度に高い場合は、インスリンを患者に注入して血糖値を下げ、血糖値が過度に低い場合は、ブドウ糖（グルコース）を患者に注入して血糖値を上げることが可能な人工膵臓装置に適用することができる。
【００４４】
以上、本実施形態について説明したが、本発明はこれに限定されず、例えば図１２〜１４に示すように、チェーン駆動によるロータ２２を有したしごき型ポンプ２０であってもよい。かかるしごき型ポンプ２０は、流体を流動させ得る可撓性チューブの被しごき部Ｃが取り付けられる取付部２１ａを具備したステータ（２１、２４）と、取付部２１ａ内で回転可能とされたロータ２２と、ロータ２２を回転駆動するためのモータ（不図示）と、ロータ２２に形成され、当該取付部２１ａに取り付けられた被しごき部Ｃを径方向に圧縮しつつ当該ロータ２２の回転に伴い長手方向にしごくことにより、可撓性チューブ内で流体を流動させるためのローラ２３とを具備したものである。
【００４５】
ロータ２２は、チェーン状に連結されたローラ２３を複数具備しており、回動するローラ２３とステータ２４との間で被しごき部Ｃをしごいて液体を流動させ得るよう構成されている。ステータ２４は、しごき型ポンプ２０の蓋部材として兼用され、閉状態にて被しごき部Ｃをローラ２３との間で挟持可能とされている。なお、チェーン状のロータ２２は、無端状（ループ状）に連結されて複数のローラ２３を具備しており、モータの駆動軸Ｒａで回転駆動されるスプロケットＲによって回動し得るようになっている。
【００４６】
ここで、本実施形態に係るステータ２４は、被しごき部Ｃを一定温度に保持するための温度保持手段２７が取り付けられている。温度保持手段２７は、ステータ２４を加温するヒータ２５（加温手段）と、ステータ２４の温度を検知し得る温度センサ２６（温度検知手段）とを具備しており、温度センサ２６で検知された温度に基づいてヒータ２５による加温を行わせることにより、被しごき部Ｃを一定温度に保持し得るよう構成されている。なお、ヒータ２５に代えて又は共に、ステータ２４を冷却し得る冷却手段を具備してもよく、その場合、温度センサ２６で検知された温度に基づいて冷却手段による冷却を行わせることにより、被しごき部Ｃを一定温度に保持し得るよう構成することとなる。
【００４７】
上記実施形態においては、何れも加温手段又は冷却手段と温度検知手段とを有し、温度検知手段による検知に基づいて加温手段又は冷却手段をフィードバック制御しているが、他の手段によって被しごき部を一定温度に保持し得るものとしてもよい。また、被しごき部が複数取り付けられるものの他、単一の被しごき部が取り付けられるもの、希釈装置とは異なる装置に適用されるものであってもよい。
【産業上の利用可能性】
【００４８】
被しごき部を一定温度に保持するための温度保持手段を具備したしごき型ポンプであれば、外観形状が異なるもの或いは他の機能が付加されたもの等にも適用することができる。
【符号の説明】
【００４９】
１    しごき型ポンプ
２    ステータ
３    取付部
４ａ  第１ロータ
４ｂ  第２ロータ
５ａ、５ｂ  ローラ
６    抜け止めリング
７    取付け金具
８    温度保持手段
９    ヒータ（加温手段）
１０  温度センサ（温度検知手段）
１１  制御手段
１２  ファン部材（冷却手段）
１３  保護カバー
１４  ペルチェ素子（加温手段又は冷却手段）
１５  温度保持手段
１６  ヒータ（加温手段）
１７  温度センサ（温度検知手段）
１８  ファン部材（加温手段）
１９  保護カバー
２０  しごき型ポンプ
２１  ステータ
２２  ロータ
２３  ローラ
２４  ステータ
２５  ヒータ（加温手段）
２６  温度センサ（温度検知手段）
２７  温度保持手段
Ｃ１、Ｃ２、Ｃ  被しごき部
Ｍ    モータ（駆動源）
Ａ    希釈装置
Ｓ    血糖値検出装置
【図１】
2017089516.tif 000003
【図２】
2017089516.tif 000004
【図３】
2017089516.tif 000005
【図４】
2017089516.tif 000006
【図５】
2017089516.tif 000007
【図６】
2017089516.tif 000008
【図７】
2017089516.tif 000009
【図８】
2017089516.tif 000010
【図９】
2017089516.tif 000011
【図１０】
2017089516.tif 000012
【図１１】
2017089516.tif 000013
【図１２】
2017089516.tif 000014
【図１３】
2017089516.tif 000015
【図１４】
2017089516.tif 000016